(57)【要約】      （修正有）【課題】フイルタエレメントの組み合わせを間違いなく実施できる装置を厨芥処理機を提供する。【解決手段】数字あるいはロゴの形の浮出し部を有する端板を有するフィルタエレメントを備えたフィルタ装置に関し、浮出し部は中間接続部材２３の切抜き開口に対応し、その背後にはハウジング側の部材２４が配置され、該部材には中間接続部材２３の切抜き開口を通る突起３０、３１が設けられている。これらの突起はフィルタエレメント１２の方向移動により中間接続部材２３の切抜き開口部を越えて移動し、これによりフィルタエレメントは中央軸部材に支持された両部材の軸方向移動によってフィルタエレメントは所要の終位置まで移動できる。【選択図】図１ａ
2006224100.tif 000002
【特許請求の範囲】
【請求項１】
開放可能なハウジングと該ハウジングに配置されたフィルタエレメントからなり、該フィルタエレメントはその外側構造の少なくとも一部を覆う少なくとも一つのカバー部材を有し、前記ハウジングには前記外側構造を覆うカバー部材に作動接触連結する少なくとも一つの部材が設けられた、特に液体あるいは気体を濾過するためのフィルタ装置であって、開口（３５〜３７）を有する中間接続部材（２３）が設けられて両部材（１９、２４）間の作動接触連結は前記フィルタの一部の形状が前記開口（３５〜３７）の形状に合致した場合のみに生じるようにしたことを特徴とするフィルタ装置。
【請求項２】
前記開口（３５〜３７）の形状は商標の形状に形成されていることを特徴とする請求項１記載のフィルタ装置。
【請求項３】
前記フィルタエレメント（１２）は基本的にジグザグ状に折畳まれた濾過手段を有する円型のフィルタエレメントであって、その正面側に端板（１８、１９）が設けられ、そのうちの一つの端板は前記フィルタエレメントの外側構造を覆う部材（１９）として形成されていることを特徴とする請求項１あるいは２に記載のフィルタ装置。
【請求項４】
前記ハウジング（１０）の前記端板に応対する内側部に中央軸部材（１７）が設けられ、該中央軸部材（１７）に前記フィルタエレメント（１２）の端板（１９）に作動接触連結する部材（２４）と中間接触部材（２３）が軸方向移動可能に配置されていることを特徴とする請求項３記載のフィルタ装置。
【請求項５】
前記中央軸部材（１７）は案内溝（３２〜３４）を有し、該中央接続部材に支持される部材は前記溝に嵌合される突起（２６〜２８）を有し、前記3つの部材間の作動接触連結により前記中央軸部材（１７）に支持された両部材（２３、２４）の移動が可能とされたことを特徴とする請求項４記載のフィルタ装置。
【請求項６】
前記フィルタエレメント（１２）の端板（１９）には軸方向の浮出し部（２０〜２２）が設けられ、これらの浮出し部（２０〜２２）の形状は前記中央軸部材（２３）の開口（３５〜３７）と形状が一致して、該前記中央軸部材の背後に前記ハウジング側に向いて配置された部材（２４）に前記浮き出し部が直接に接触し、該部材（２４）は該突起（３０、３１）を有し、該突起（３０、３１）は前記中央接続部材（２３）の切抜き開口（３５〜３７）を通り、該突起（３０、３１）は前記フィルタエレメントの軸方向移動により前記中央接続部材（２３）の開口を越えて移動することができ、前記フィルタエレメント（１２）は前記中央軸部材（１７）に支持された前記両部材の移動により軸方向の所定最終位置に移動できることを特徴とする請求項５記載のフィルタ装置。
【発明の詳細な説明】
【技術分野】
【０００１】
本発明は、独立請求項１に記載の上位概念によるフィルタ装置に関する。
【背景技術】
【０００２】
特許文献１（ＵＳ２００２／０１７０２７９）にフィルタ装置が開示されている。該装置は、ハウジングに配置されたフィルタエレメントを有する。ハウジングとフィルタエレメント間の連結は限定された嵌め合わせで、あるいはフィルタエレメントの端板の幾何学形状に合わせて行なわれる。この装置における欠点は、ある形状のエレメントを規定通りにハウジングに取り付けることができないことである。したがって、所要の形状を有しないエレメントは、最早ハウジングに装着できない。このため、現存のハウジンに間違った部品が装着されることがありえる。また、濾過特性に関する要求を満たさない部品が装着されることもあり得る。
【０００３】
特許文献２（ＤＥ４４０２８３６）には、例えば装着部品が錠前と鍵の関係で装置に取り付けられるようにすることで、少なくとも適合する消耗部品が正しく使用されるようにしたものが開示されている。しかしながら、この場合も万が一不適切な消耗部品が用いられた場合には装置の寿命あるいは機能が低下する問題がある。その際、間違った使用、あるいはその結果状況を検出することは非常に困難、あるいは不可能であり、間違いをなくするには比較的に費用が嵩む。
【０００４】
さらに、特許文献３（ＷＯ０１／５２１８５）には装置における整備を要する消耗部品を監視する方法が開示されている。そこでは、正しいフィルタが使用されていることやフィルタ特性を知らせるために、例えば記憶要素がトランスポンダー（送受信機）の形でフィルタエレメントに配置されている。この方法においては、データを評価する評価ユニットが必要である。
【特許文献１】ＵＳ２００２／０１７０２７９
【特許文献２】ＤＥ４４０２８３６
【特許文献３】ＷＯ０１／５２１８５
【発明の開示】
【発明が解決しようとする課題】
【０００５】
本発明は上記問題点に鑑み、フィルタハウジングとフィルタエレメントの組合せを間違いなく行なうことが可能なフィルタ装置を提供することである。
【課題を解決するための手段】
【０００６】
この課題は、請求項１に記載の上位概念による特徴により解決することができる。
【０００７】
本発明の主要な利点は、フィルタエレメントがある一定の構造をなすことにある。該構造体はハウジングの一部材と作動接触連結される。さらに、一定の開口が設けられた中間接続部材が設けられる。該開口はフィルタエレメントの一輪郭部により貫通され、それによりフィルタエレメントがハウジングと作動接触連結された状態になる。
【０００８】
本発明の一実施形態においては、前記開口の輪郭は一定の形状、例えば図形商標、ロゴ、あるいは文字体の形状に一致する形状を有する。これにより、フィルタエレメントに既に存在する特徴部分を輪郭部として利用することができる可能性が生じる。フィルタエレメントに特徴部分が存在しない場合には、本発明の実施の形態によりそのような特徴部分を付け加えて所要の輪郭部を形成することが可能となる。
【０００９】
他の実施形態では、フィルタエレメントは基本的にジグザグに形成された濾過手段を備えた丸型フィルタエレメントである。丸型フィルタエレメントの場合に必要な端板の一つは外側構造、つまり所要の輪郭部を有する。
【００１０】
本発明のさらに他の実施形態では、ハウジングには中央軸部材が設けられ、該中央軸部材には前記中間接続部材とともに前記フィルタエレメントの端板と作動接触連結される部材が軸方向移動可能に支持される。
【００１１】
さらに、前記中央軸部材には案内溝が形成されている。該中央軸部材に支持される前記両部材は前記溝に嵌る突起を有し、前記中間接続部材と前記端板と作動接触連結されるハウジング側の部材はともに前記溝に沿って案内されることができる。
【００１２】
本発明のさらに他の実施形態では、前記端板の前記輪郭部は軸方向に浮き出している。該浮出し部は前記中間接続部材の開口に嵌り込み、ハウジング側の前記部材は前記中間接続部材の前記開口を通る突起を有する。該突起は、このようなフィルタエレメントの構造においては、前記開口を越えて動いて少なくとも２つの部材間の相対運動、つまり相対回転が自由になる。これにより、該相対回転の結果生じる前記中央軸部材に支持された両部材の軸方向移動によってフィルタエレメントは所要の終位置まで移動できる。上記およびその他の本発明の好ましい実施例の特徴が、請求項のほか、明細書及び図面から読み取れ、それらの特徴が個々にあるいは幾つかが組み合わされて本発明の実施形態に実施され、および他の分野で適用されて有利かつそれ自身保護され得る実施形態を具現することができ、それらに対して茲に保護を要請するものである。
【発明を実施するための最良の形態】
【００１３】
図１ａはフィルタハウジング１０を示し、該ハウジングは、例えばプラスチックで形成され、フィルタエレメント１２の取付け部を備えている。
【００１４】
前記フィルタハウジング１０は、ハウジング蓋で閉じられている。濾過される例えば空気は、清浄前空気入口１３を通って外側の清浄前空気領域１４に流入し、続いて半径方向に流れてジグザグに折畳まれたフィルタエレメントの濾過層を通過して清浄化され、内部室１５を通ってフィルタ装置の中央軸部材１７の開口１６から流出する。前記フィルタエレメント１２は、前述したように、折り畳まれていて紙あるいは不織布からなり、両端にはそれぞれ端板１８、１９を有する。これらの端板は、例えば熱可塑性のプラスチック材で形成される。端板１９は軸方向に延びる部分を有する。この部分を一定の高さの文字形状部２０、２１、２２を浮き出させたものとすることができる。この浮出し部は中間接続部材２３側の切抜き開口に嵌り込み、フィルタハウジング１０に隣接して軸方向に移動可能に配設された板状部材２４に直接に作動接触連結する。前記中間接続部材２３と板状部材２４は共に中央の穴部に突起を有する。該突起は中央軸部材１７の溝に嵌合し、両部材は軸方向および半径方向に溝形状に従って導かれる。この構成は続く図において説明される。圧縮ばね２５は、フィルタエレメントがハウジング内に装着されていない場合は前記量部材２３および２４が左側の停止面に押し付けられるように働く。より良い理解のために、それぞれの板部材が図２および３に示してある。
【００１５】
図２a)は中間接続部材２３を示す。
【００１６】
図２b)は同じ部材を斜視図で示したものである。中間接続部材２３には文字２９であるＭ、Ｈ、と数学記号＋からなる切抜き開口３５、３６、３７が認められる。そのほか、該部材には中央の穴部に内側に向く突起２６、２７、２８が設けられている。図１の端板１９には浮出し部が設けられており、該浮出し部が前記中間接続部材の切抜き開口と一直線に並び、該切抜き開口に嵌り込むことができる。
【００１７】
図３ａおよびｂは板状部材２４を示す。該部材も内側に向く突起２６、２７、２８を有する。さらに該部材２４は、弾性があって円板の表面から突き出た突起３０、３１および同様に弾性があって軸方向に突き出た複数の突起を有する。中間接続部材２３が板状部材２４に当たっている場合、前記突起が前記中間接続部材２３の文字形の切抜き開口に入っていて該開口を受け止めて中間接続部材２３の文字体の浮出し部の受け部となって両部材２３、２４の相対回転を防止する。端板１９と該端板上の浮出し部すなわち文字形状部２０がこれらの突起を軸方向に押し出した時、つまり突起が部材２３の文字形の切抜き開口から押し出された時にのみ、両部材２３、２４が互いに相対回転できる可能性が生じる。これは図１bおよび図１cにより容易に理解できる。このことは、端板１９が鍵であり、この鍵により板部材２３、２４からなる錠前が開錠されることを意味する。
【００１８】
そのほか、開錠に際しては図４a)およびb)に示された中央軸部材１７が重要な役目を担う。該中央軸部材１７にはその外周に３つの溝３２、３３、３４が設けられており、これらの溝が突起２６乃至２８を案内する。ハウジングに図１に示すようにフィルタエレメントが装着されていない場合は、両部材２３、２４は図4a)に概略的に示されている位置にある。端板１９が前記両部材に作用すると、部材２４は斜めに走る溝内を動いて開錠され、フィルタエレメントの軸方向の移動により図4a)において右側に認められる溝端まで押される。
【００１９】
図５は個々の構成部品の展開図である。同じ構成部品には同じ符号が付してある。フィルタハウジング１０には圧縮ばねが中央軸部材とともに取り付けてある。該中央軸部材には両部材２３、２４が挿着され、フィルタエレメント１２の方への軸方向移動は止められている。フィルタエレメントにはロゴ、例えば製造者の社名などが例えば５ｍｍの高さに浮き出しで形成されている。該フィルタエレメントがハウジング内に装着されると、前記浮出しロゴが厚さ５ｍｍの中間接続部材２３の切抜き開口に嵌入する。該板部材２３の背後には前記切抜き開口に対応する突起３０、３１を有する板状部材２４が配置されている。該部材２４の中央穴部に設けられた突起２６、２７、２８が前記中央軸部材１７に形成された傾斜面を有する溝３２に嵌入していて、部材２４はフィルタエレメントが完全に装着されるまで強制的に回転されなければならないが、この回転は、勿論前記部材２４の突起３０、３１ほかの部材２３のロゴへの食い込みによって防止されている。というのは、該部材２３は軸方向の直線移動のみが許される突起２６、２７、２８を有するからである。前記突起３０、３１ほかの部材２３の面上の突起がフィルタエレメントの２３の浮出しロゴを越えて動かされて初めて回転に対するブロックが解除される。これにより、前記部材２４が回転可能となり、フィルタエレメントは必要とされる最終位置まで移動される。
【図面の簡単な説明】
【００２０】
【図１ａ】フィルタ装置の断面図である。
【図１ｂ】端板の浮出し部が中間接続部材の切抜き開口部に嵌入される前の状態を示す拡大図である。
【図１ｃ】嵌入された状態を示す局部拡大図である。
【図２】a）およびb)は、中間接続部材を示す図である。
【図３】a)およびb)は、フィルタハウジングに配置される部材を示す図である。
【図４】a)およびb)は、フィルタハウジングに配置される中央軸部材である。
【図５】フィルタエレメントの基本構成部分の斜視図である。
【図１ａ】
2006224100.tif 000003
【図１ｂ】
2006224100.tif 000004
【図１ｃ】
2006224100.tif 000005
【図２】
2006224100.tif 000006
【図３】
2006224100.tif 000007
【図４】
2006224100.tif 000008
【図５】
2006224100.tif 000009